(57)【要約】【課題】  表示面側ガラス基板上に、一様に形成された透明中間層を設け、放電ギャップ幅と同程度の幅を有する溝を作り、溝の側壁にX,Y電極から接続される透明電極の先端部を配置し、Ｘ,Ｙ電極を被覆するように、誘電体層を重ね、その上に保護膜（MgO）が形成されて、表示面側ガラス基板が作成されたＡＣ型プラズマディスプレイパネルでは、新たに設けた透明中間層の厚さ分、発光蛍光体からの光の透過率が落ちる問題があった。【解決手段】  表示面側ガラス基板上で、Ｘ，Ｙ放電ギャップの先端部に位置する場所に鉛ガラス等で出来た透明なリブを設け、このリブを覆うように透明電極を配置し、これと接続するように、Ｘ，Ｙバス電極を配置して、この上から、誘電体層を均一に印刷塗布した後、放電ギャップ部分にあたる誘電体層を硝酸でエッチング除去し、全面に保護膜（ＭｇＯ）を付着して表示面側ガラス基板を完成させる【選択図】図１
2005149873.tif 000002
【特許請求の範囲】
【請求項１】
放電空間を介して対向配置された基板対の表示面側基板の内面に、複数配列された電極対である放電ギャップを挟んで配設された第１の電極および第２の電極と、前記第１の電極および前記第２電極を前記放電空間に対して被覆する誘電体層とを備えたプラズマディスプレイパネルにおいて、
前記表示面側基板内面上で、対をなす前記第１の電極と前記第２電極間の前記放電ギャップの両先端部近傍領域に、所定厚さ（高さ）に形成された透光性リブを備え、対をなす前記第１の電極および前記第２の電極は前記透光性リブを覆うように形成され、前記誘電体層は前記放電ギャップに対応する領域内に誘電体層のない凹部あるいは溝を有することを特徴とするプラズマディスプレイパネル。
【請求項２】
前記凹部あるいは溝の底面の前記表示面側基板内面からの高さが、少なくとも前記透光性リブの厚さ（高さ）以下であることを特徴とする請求項１に記載のプラズマディスプレイパネル。
【請求項３】
放電空間を介して対向配置された基板対の表示面側基板の内面に、複数配列された電極対である放電ギャップを挟んで配設された第１の電極および第２の電極と、前記第１の電極および前記第２電極を前記放電空間に対して被覆する誘電体層とを備えたプラズマディスプレイパネルにおいて、
対をなす前記第１の電極と前記第２電極は前記放電ギャップ側端部に所定厚さ（高さ）の透光性電極部を備え、前記誘電体層は前記放電ギャップに対応する領域内に誘電体層のない凹部あるいは溝を有することを特徴とするプラズマディスプレイパネル。
【請求項４】
前記凹部あるいは溝の底面の前記表示面側基板内面からの高さが、少なくとも前記透光性電極部の厚さ（高さ）以下であることを特徴とする請求項３に記載のプラズマディスプレイパネル。
【請求項５】
前記透光性電極の電極部材が透明酸化物半導体であることを特徴とする請求項３または４に記載のプラズマディスプレイパネル。
【請求項６】
前記透光性電極の電極部材である透明酸化物半導体がＴｉＯ２，ＳｎＯ２，Ｉｎ２Ｏ３，ＺｎＯのいずれかであることを特徴とする請求項５に記載のプラズマディスプレイパネル。
【発明の詳細な説明】
【技術分野】
【０００１】
本発明は、交流駆動の３電極面放電方式のＡＣ型プラズマディスプレイパネルに関する。
【背景技術】
【０００２】
従来の交流駆動の３電極面放電方式のプラズマディスプレイパネル（以下、ＡＣ型プラズマディスプレイパネルと称する）は、表示基板と背面基板が所定間隙の放電空間を介して、対向して配置されている。表示基板には、ガラス基板上に放電ギャップを挟んで対向する対をなす行電極である放電維持電極が複数配列されている。放電維持電極はＸ電極（共通電極ともいう）とＹ電極（走査電極ともいう）とからなり、各電極は、ガラス基板上に設けられた例えばＩＴＯ膜である透明電極と、その上に形成された低抵抗のバス電極からなっている。そして、放電維持電極は誘電体層で覆われ、その誘電体層は保護層で覆われている。また、背面基板には、蛍光体が塗布された複数の列電極であるアドレスが形成されており、１対の放電維持電極と１つの列電極の交差部が１画素を形成する単位放電セルとなっている。
【０００３】
ところで、対をなすＸ電極とＹ電極（１対の放電維持電極）の間に電圧を加えた場合、電気力線は放電ギャップ及びその近傍で密となる。しかし、従来では、それらの電気力線は誘電率の高い誘電体層内部に閉じ込められている為、放電空間内においては、電気力線が疎になり、電界強度が弱く、維持放電開始電圧が高く、消費電力を低減できない要因となっていた。
【０００４】
そこで、前記放電ギャップ上に対応した誘電体層領域に凹部を設けて、または誘電体層がないよう溝を設けて、放電ギャップ及びその近傍での電界強度を強くし、維持放電開始電圧を低減して、消費電力を低減する技術が、例えば下記特許文献１で開示されている。
【０００５】
【特許文献１】特開平１１−２９７２１５号公報
【発明の開示】
【発明が解決しようとする課題】
【０００６】
上記特許文献１では、維持放電開始電圧を低下させるために、維持放電電極（対をなすＸ電極とＹ電極）間の放電ギャップ上に対応した誘電体層領域に凹部または溝を設け、放電ギャップ及びその近傍での電界強度を強くしている。さらに、維持放電電極間の電位分布の一様性（即ち、並行電界）を保つため、溝内にＸ，Ｙ電極の放電ギャップ近傍の電極の一部を形成している。
【０００７】
これは、上記特許文献１の３頁段落番号００２０乃至００２２及び図４，図５で示されるように、表示基板のガラス基板上に、低融点ガラス層からなる一様に形成された透明中間層を設け、サンドブラスト法で放電ギャップ幅と同程度の幅を有する溝を作り、溝の側壁にＸ,Ｙ電極の透明電極の一部である先端部を配置し、その後、Ｘ,Ｙ電極を被覆するように一様な厚さで誘電体層を重ね、その上に保護膜（MgO）を形成して、表示基板を構成している。
【０００８】
このように、上記特許文献１では、新たに透明中間層を設け、これをサンドブラスト法で削り、溝を設けて、この上に透明中間層の形状に沿って透明電極を配置して、さらに、この上に誘電体層を均一に設けている。しかし、蛍光体からの光が出射する溝領域外の透光領域では新たに設けた透明中間層の厚さの分だけ、蛍光体からの光の透過率が落ちるという問題が新たに生じる。
【０００９】
本発明は、上記した事情に鑑みてなされたもので、その目的は、蛍光体からの光が出射する溝領域外の透光領域での透過率を低下させることなく、維持放電開始電圧を低減できるプラズマディスプレイパネルを提供することにある。
【課題を解決するための手段】
【００１０】
上記課題を解決するために、本発明では、放電空間を介して対向配置された基板対の表示面側基板の内面に、複数配列された電極対である放電ギャップを挟んで配設された第１の電極および第２の電極と、前記第１の電極および前記第２電極を前記放電空間に対して被覆する誘電体層とを備えたプラズマディスプレイパネルにおいて、前記表示面側基板内面上で、対をなす前記第１の電極と前記第２電極間の前記放電ギャップの両先端部近傍領域に、所定厚さ（高さ）に形成された透光性リブを備え、対をなす前記第１の電極および前記第２の電極を前記透光性リブを覆うように形成し、前記誘電体層を前記放電ギャップに対応する領域内に誘電体層のない凹部あるいは溝を有するように構成する。
【００１１】
このように構成すれば、放電ギャップ領域内に誘電体層のない溝が形成されているので、また、透光性リブの放電側ギャップ側壁面に放電ギャップを挟んで対向する第１の電極および第２の電極の対向部が形成されるので、対をなす第１の電極および第２の電極の間の電気力線は、誘電体層のない放電ギャップ間で密となり、電界が強くなり、かつ、電位分布が一様で電界が並行となり、対をなす第１の電極および第２の電極間の維持放電開始電圧を低下させることができる。
【００１２】
この時、前記特許文献１とは異なり、透明中間層がなく、蛍光体で発光された光が通過する誘電体層の厚さ（透光性リブのある部分では、透光性リブの厚さ＋誘電体層７の厚さ）は従来と略同等であり、従来と比べて蛍光体からの光の透過率が落ちることはない。
【発明の効果】
【００１３】
本発明によれば、蛍光体からの光が出射する溝領域外の透光領域での透過率を低下させることなく、維持放電開始電圧を低減できるプラズマディスプレイパネルを提供することができる。
【発明を実施するための最良の形態】
【００１４】
以下、本発明を実施するための最良の形態について、図を用いて詳細に説明する。なお、各図に共通な機能を有する構成要素には、同一符号を付して示す。
【実施例１】
【００１５】
図１は本発明の実施例１であるＡＣ型プラズマディスプレイパネルを示し、ＡＣ型プラズマディスプレイパネルを行電極（Ｘ,Ｙ電極）側から見た断面図である。図２は、図１を立体的に見た斜視図である。
【００１６】
本実施例は、一対のＸ電極とＹ電極の間の放電ギャップの先端部（両端）に略対応するガラス基板上の近傍領域に、所定厚さ（高さ）を有する透光性の透明リブを設けたことを特徴とする。
【００１７】
図１，図２において、表示基板は、透光性のガラス基板１と、一対のＸ電極３とＹ電極４の間の放電ギャップ２０先端部に略対応する近傍（両端）領域に設けられた、行電極方向に平行に伸びた所定厚さ（高さ）を有する透光性の透明リブ２と、ガラス基板１と透明リブ２上に設けられた複数の対をなす行電極（一般に維持放電電極と称する）であるＸ電極３およびＹ電極４と、放電ギャップ２０に略対応する領域に行電極に平行な溝２１を有する行電極を覆うように形成された透明な誘電体層７と、該誘電体層７上に設けられた例えばＭｇｏの保護層８とからなる。
【００１８】
背面基板は、ガラス基板１２と、ガラス基板１２上に行電極に交差するように配置されたアドレス電極１１と、アドレス電極１１を覆うように設けられた誘電体層１０と、一対の行電極とアドレス電極の交差部に１画素となる単位放電セルを構成するように行方向に仕切る隔壁１４と、隔壁１４で囲まれた誘電体層１０上に塗布された蛍光体９とからなる。
【００１９】
表示基板と背面基板との間の放電空間１５は隔壁１４で所定間隙となるように設けられており、表示基板と背面基板との間には放電ガス（不図示）が封入されている。
【００２０】
上記したＸ電極３及びＹ電極４は、例えばＩＴＯ膜である透明電極３ａ，４ａと、その上に設けられた低抵抗のバス電極３ｂ，４ｂとからなる。そして、その透明電極３ａと４ａの放電ギャップ２０側端部は、透明リブ２を覆っており、透明電極３ａと４ａの放電ギャップ２０側先端部は透明リブ２の斜面２ａに沿って、放電ギャップ２０を挟んで対向する対向部３ａｇと４ａｇを形成している。
【００２１】
本実施例による表示基板は、先ず、表示基板側のガラス基板１上で、対をなすＸ電極３とＹ電極４の間の放電ギャップ２０の両先端部に略対応する近傍位置にのみ、所定厚さ（高さ）となるように、例えば低融点の鉛ガラス等のペースト材を印刷して、乾燥焼成させて透明リブ２を作成する。透明リブ２の所定厚さは、誘電体層の厚さをｔとすると、透明電極３ａ，４ａの厚さと略同じ１μｍ以上で、ｔ以下の例えば２５μｍ以下とする。最低厚さは、後述する電位分布の一様性の点からバス電極３ｂ（４ｂ）の厚さより大きいのが望ましい。この透明リブ２の形状は、粘性など考慮すると、山型又は台形状とするのが望ましい。
【００２２】
その後、この透明リブ２を被覆して、Ｘバス電極３ｂ，Ｙバス電極４ｂが配置される場所まで、Ｘ電極３の透明電極３ａ、Ｙ電極４の透明電極４ａを例えば１μｍ弱程度の厚さでスパッタリング等で作成し、そして、この上に金属材料でできたＸバス電極３ｂ、Ｙバス電極４ｂを作成してパネルの電極構造とする。
【００２３】
さらに、その上に低融点ガラス粉末を主成分とするペースト状の材料を数十μｍ（例えば３０μｍ〜５０μｍ）の厚さで全体に均一に印刷塗布して、誘電体層７を仕上げる。次に放電ギャップ２０に略対応する部分の誘電体層を硝酸などでエッチング除去して、ガラス基板１に達する溝２１を設け、この上から保護膜（ＭｇＯ）８を蒸着等で全面に一様に付着させて表示基板を完成させる。なお、背面基板の製造工程は従来通りであり、説明を省略する。
【００２４】
以上述べたように構成されたＡＣ型プラズマディスプレイパネルでは、対をなすＸ電極３とＹ電極４の間に維持放電開始電圧以上の印加電圧が印加されると、放電空間１５で維持放電が起こり、紫外線が発生する。この紫外線が背面基板の蛍光体９を励起して発光させ、この光が表示基板の放電ギャップ、透明電極領域を透過して表示基板から出射し、視聴者に対して映像を映し出す。
【００２５】
この時、対をなすＸ電極３とＹ電極４の間の電気力線３０は、図３に示すように、放電ギャップ２０領域内に誘電体層のない溝２１が形成されているので、また、Ｘ電極３の透明電極３ａおよびＹ電極４の透明電極４ａの放電ギャップ側対向部３ａｇと４ａｇが放電ギャップ２０を介して対向しているので、誘電体層のない放電ギャップ間で密となり、電界が強くなり、かつ、電位分布が一様で電界が並行となり、対をなすＸ電極３とＹ電極４間の維持放電開始電圧を低下させることができる。
【００２６】
放電ギャップ間で低い維持放電電圧で、一旦放電が開始すると、放電は並行電界が発生している広い対向部３ａｇ，４ａｇの電極面に広がり、放電ガスを電離させてから、さらに透明電極を伝わってＸバス電極，Ｙバス電極側に広がっていくため、低い維持放電開始電圧でも、放電の立ち消えが無く、安定した放電が実現できる。これにともない、消費電力を低減することができる。
【００２７】
且つ、本実施例では、前記特許文献１とは異なり、透明中間層がなく、蛍光体で発光された光が通過する誘電体層７の厚さ（透明リブのある部分では、透明リブの厚さ＋誘電体層７の厚さ）は従来と略同等であり、従来と比べて蛍光体からの光の透過率が落ちることはない。
【００２８】
なお、本実施例では、放電ギャップ２０内の溝２１はガラス基板１の内面にまで達しているが、これに限定されるものではなく、ガラス基板１と溝２１の底面との間に透明リブ２の厚さ（高さ）より薄い誘電体層があってもよいことはいうまでもない。しかし、溝２１内の誘電体層の高さは、電位分布の一様性（並行電界）の観点から透明リブ２の厚さ（高さ）の１／２以下が望ましい。
【００２９】
また、以上では、透明電極３ａ，４ａは透明リブ２を覆うように形成されているが、これに限定されるものではなく、透明リブ２の上面まで形成し、斜面２ａには形成しないようにしてもよい。このようにしても、透明リブ２の上面上の透明電極から出る電気力線は、溝を介して相対している相手電極との間では、溝の底面側にも膨らみ有効活用されるのと、溝から放電が拡大していく最初の面放電側では、誘電体7の厚さが透明リブ２の高さによって薄くなっているので、電気力線が強まっており有効である。従来は、透明電極はガラス基板上に形成されている為、ガラス基板側の電気力線は有効利用されていない。しかし、上記のようにすれば、ガラス基板側の電気力線も利用できるので、維持放電開始電圧を低減させることが可能となる。
【実施例２】
【００３０】
次に、第２の実施例であるＡＣ型プラズマディスプレイパネルについて以下述べる。図４は表示基板の作成工程を一部変更した第２の実施例である。図４において、図１，図２，図３と同じ機能を有する部分には、同一符号を付して示し、煩雑さをさけるために、その説明を省略する。
【００３１】
本実施例は、対をなすＸ電極とＹ電極の放電ギャップ側に厚さの厚い透明電極を有し、放電ギャップに略対応する領域に誘電体層の形成されていない溝を備えることを特徴とする。
【００３２】
図４において、本実施例は、実施例１とは行電極（維持放電電極）であるＸ電極およびＹ電極の構成が異なる。本実施例では、表示基板のガラス基板１上に設けられた複数の対をなす行電極であるＸ電極５とＹ電極６は、それぞれ、ガラス基板１上に設けられた透明電極５ａ，６ａと、透明電極上に設けられたバス電極５ｂ，バス電極６ｂと、透明電極５ａ，６ａの放電ギャップ２０側端部に形成され、放電ギャップ２０を介して対向する厚さの厚い透明電極１３ｘと１３ｙとからなる。そして、行電極を覆うように、放電ギャップ２０に略対応する領域に行電極に平行な溝２１を有する透明な誘電体層７が形成されて、さらに、その上に保護膜８が設けられている。
【００３３】
本実施例による表示基板は、ガラス基板１上で、Ｘ電極５の透明電極５ａとＹ電極６の透明電極６ａを同時に作成したのち、これと接続するＸバス電極５ｂとＹバス電極６ｂを作成する。その後、透明電極の放電ギャップ側端部に透明電極１３を設ける。透明電極１３は、透明電極５ａ，６ａ上に例えば透明酸化物半導体であるＴｉＯ２，ＳｎＯ２，Ｉｎ２Ｏ３，ＺｎＯ等を所定厚さ（高さ）となるように印刷塗布して仕上げる。透明電極１３の所定厚さ（透明電極５ａ，６ａの厚さを含むものとする）は、誘電体層の厚さをｔとすると、透明電極５ａ，６ａの厚さの略２倍の２μｍ以上で、ｔ以下の例えば２５μｍ以下とする。最低厚さは、電位分布の一様性の点から透明電極５ａ（６ａ）とバス電極５ｂ（６ｂ）の厚さの和より大きいのが望ましい。規定厚さに仕上がらない場合は、数回印刷して、規定厚さに仕上げる。誘電体層７と溝２１と保護膜８については実施例１に同じであり、説明を省略する。
【００３４】
本実施例でも、実施例１と同様、厚さ（高さ）の厚い透明電極１３ｘと１３ｙが、放電ギャップ２０を介して対向しており、かつ、放電ギャップ２０領域内に誘電体層のない溝２１が形成されているので、誘電体層のない放電ギャップ間で密となり、電界が強くなり、かつ、電位分布が一様で電界が並行となり、対をなすＸ電極５とＹ電極６間の維持放電開始電圧を低下させることができる。且つ、本実施例でも、透明中間層を必要とせず、従来と比べて蛍光体からの光の透過率が落ちることはない。
【００３５】
なお、本実施例では、実施例１と同様に、放電ギャップ２０内の溝２１はガラス基板１の内面にまで達しているが、これに限定されるものではなく、ガラス基板１と溝２１の底面との間に透明電極１３の厚さ（高さ）より薄い誘電体層があってもよいことはいうまでもない。しかし、溝２１内の誘電体層の高さは、電位分布の一様性（並行電界）の観点から透明電極１３の厚さ（高さ）の１／２以下が望ましい。
【図面の簡単な説明】
【００３６】
【図１】実施例１のＡＣ型プラズマディスプレイパネルを行電極側から見た断面図。
【図２】図１を立体的に見た斜視図。
【図３】図１のＡＣ型プラズマディスプレイパネルの電気力線の様子を示す図。
【図４】実施例２のＡＣ型プラズマディスプレイパネルを行電極側から見た断面図。
【符号の説明】
【００３７】
１  ガラス基板、２  透明リブ、３  Ｘ電極、４  Ｙ電極、５  Ｘ電極、６  Ｙ電極、７  誘電体層、８  保護膜、９  蛍光体、１０  誘電体層、１１  アドレス電極、１２  ガラス基板、１３  透明電極、１４  隔壁、１５  放電空間、２０  放電ギャップ、２１  溝、３０  電気力線。
【図１】
2005149873.tif 000003
【図２】
2005149873.tif 000004
【図３】
2005149873.tif 000005
【図４】
2005149873.tif 000006